(57)【要約】【課題】インダクタ部と静電気対策部とを備えながら、インダクタ部の性能の低下を低減する複合部品を得ることを目的としている。【解決手段】本発明は、下部積層部２５と、インダクタ部２６と、上部積層部２７とを備え、インダクタ部２６を構成する第１、第２のコイル１６、１８の軸は積層方向に一致し、下部積層部２５は、一対の電極間に通常は絶縁体として機能し所定以上の電圧が印加されると通電する下部静電気通過部１２を有し、上部積層部２７は、一対の電極間に通常は絶縁体として機能し所定以上の電圧が印加されると通電する上部静電気通過部２３を有し、下部静電気通過部１２と上部静電気通過部２３は積層方向から透視した際に同じ位置に形成されたものである。【選択図】図１
2011187676.tif 000002
【特許請求の範囲】
【請求項１】
下部静電気対策部が形成された下部積層部と、
前記下部積層部上に積層されたインダクタ部と、
前記インダクタ部上に積層され上部静電気対策部が形成された上部積層部とを備え、
前記インダクタ部を構成するコイルの軸は積層方向に一致し、
前記下部静電気対策部は、一対の電極間に通常は絶縁体として機能し所定以上の電圧が印加されると通電する下部静電気通過部を有し、
前記上部静電気対策部は、一対の電極間に通常は絶縁体として機能し所定以上の電圧が印加されると通電する上部静電気通過部を有し、
前記下部静電気通過部と前記上部静電気通過部は積層方向から透視した際に同じ位置に形成されている複合部品。
【請求項２】
前記下部静電気通過部および前記上部静電気通過部はともにコイルの軸上に配置されている請求項１記載の複合部品。
【発明の詳細な説明】
【技術分野】
【０００１】
本発明は電子機器や電気回路等に用いられる複合部品であって、ノーマルモードノイズフィルタやコモンモードノイズフィルタ等のインダクタ部品と、静電気対策部品などのように過電圧から被保護部品を保護する機能を有するものである。
【背景技術】
【０００２】
近年、電気回路の高周波化によるノイズ対策が重要になるとともに、電子部品の小型化により静電気に対する耐性が低下し静電気などの過電圧に対する保護が重要になってきた。そのような状況の下、コモンモードノイズフィルタと、このコモンモードノイズフィルタまたはその他の電子部品を静電気から保護するための静電気対策部品とを一つの部品にした複合部品が提案されている。
【先行技術文献】
【特許文献】
【０００３】
【特許文献１】特開２００６−２９４７２４号公報
【発明の概要】
【発明が解決しようとする課題】
【０００４】
上記従来の複合部品では、コモンモードノイズフィルタなどのインダクタ部の性能を向上させるためにインダクタ部においては基本的に磁性体層を用い、この磁性体層中を磁束が通過し易くなるようにしている。一方、静電気対策部においては、中空部を形成している。この構成により、空気の透磁率は低いため、この中空部が磁束に影響を与え、インダクタ部の性能が低下してしまうという課題があった。
【０００５】
本発明は、上記従来技術の課題を解決するもので、インダクタ部と静電気対策部とを備えながら、インダクタ部の性能の低下を低減する複合部品に関する。
【課題を解決するための手段】
【０００６】
上記目的を達成するために、本発明は以下の構成を有するものである。
【０００７】
請求項１に記載の発明は、下部静電気対策部が形成された下部積層部と、前記下部積層部上に積層されたインダクタ部と、前記インダクタ部上に積層され上部静電気対策部が形成された上部積層部とを備え、前記インダクタ部を構成するコイルの軸は積層方向に一致し、前記下部静電気対策部は、一対の電極間に通常は絶縁体として機能し所定以上の電圧が印加されると通電する下部静電気通過部を有し、前記上部静電気対策部は、一対の電極間に通常は絶縁体として機能し所定以上の電圧が印加されると通電する上部静電気通過部を有し、前記下部静電気通過部と前記上部静電気通過部は積層方向から透視した際に同じ位置に形成されたものである。
【０００８】
請求項１に記載の発明は、この構成により、インダクタ部の性能の低下を減少させながら、静電気対策部を備える複合部品を得ることができるという作用効果を有する。
【０００９】
請求項２に記載の発明は、特に、前記下部静電気通過部および前記上部静電気通過部はともにコイルの軸上に配置されたものである。請求項２に記載の発明は、この構成により、第１の静電気通過部または第２の静電気通過部の存在によるインダクタ部の性能の低下をより減少させることができるという作用効果を有する。
【発明の効果】
【００１０】
本発明は、インダクタ部の性能の低下を減少させながら、静電気対策部を備える複合部品を得ることができるという効果を有する。
【図面の簡単な説明】
【００１１】
【図１】本発明の実施の形態１における複合部品の分解斜視図
【図２】（ａ）本発明の実施の形態１における複合部品の正面断面図、（ｂ）本発明の実施の形態１における複合部品の側面断面図
【図３】本発明の実施の形態１における複合部品の電気接続図
【図４】本発明の実施の形態１におけるバリエーション例の複合部品の正面断面図
【図５】比較例における複合部品の正面断面図
【図６】本発明の実施の形態２における複合部品の分解斜視図
【図７】本発明の実施の形態２における複合部品の電気接続図
【図８】本発明の実施の形態３における複合部品の分解斜視図
【発明を実施するための形態】
【００１２】
図１は本発明の実施の形態１における複合部品の分解斜視図、図２（ａ）は本発明の実施の形態１における複合部品の正面断面図、図２（ｂ）は本発明の実施の形態１における複合部品の側面断面図、図３は本発明の実施の形態１における複合部品の電気接続図である。
【００１３】
絶縁シート１、絶縁シート２、絶縁シート３、絶縁シート４、絶縁シート５、絶縁シート６、絶縁シート７、絶縁シート８、絶縁シート９および絶縁シート１０は、シート状のセラミックを焼成して得られた絶縁性能を有するシートである。これらは、全て同じ材質を用いた物であってもよいが、必要に応じて、一部を磁性体とし、残りを非磁性体としてもよい。
【００１４】
絶縁シート１の上面側には絶縁シート２が配置され、絶縁シート２上には下部グランド電極１１が配置されている。下部グランド電極１１は長方形である絶縁シート２の上面における長辺の端部まで延伸している。
【００１５】
絶縁シート２の上面側には絶縁シート３が配置され、この絶縁シート３の略中央部には開口部である下部静電気通過部１２が形成されている。さらに絶縁シート３上には第１の下部放電電極１３と、第２の下部放電電極１４とが配置されている。第１の下部放電電極１３および第２の下部放電電極１４の先端は下部静電気通過部１２上に位置しており、下部静電気通過部１２を介して下部グランド電極１１と面で対向している。第１の下部放電電極１３および第２の下部放電電極１４は、長方形である絶縁シート３の短辺までそれぞれ延伸している。
【００１６】
絶縁シート３の上面側には絶縁シート４が配置され、絶縁シート４上には第１の引出電極１５が配置されている。第１の引出電極１５は長方形である絶縁シート４の短辺の端部まで延伸しており、その延伸している部分は、第１の下部放電電極１３の絶縁シート３の短辺までの延伸部と積層方向で平面視した際に同じ位置に存在している。
【００１７】
絶縁シート４の上面側には絶縁シート５が配置され、絶縁シート５上には渦巻き形状の第１のコイル１６が配置されている。この第１のコイル１６のコイル軸は積層方向に一致している。第１のコイル１６の外側の端部は、長方形である絶縁シート５の上面における短辺の端部まで延伸しており、その延伸している部分は、第２の下部放電電極１４の絶縁シート３の短辺までの延伸部と積層方向で平面視した際に同じ位置に存在している。また、絶縁シート５の中央部にはビア電極としての接続電極１７が形成され、第１のコイル１６と第１の引出電極１５とを電気的に接続している。
【００１８】
絶縁シート５の上面側には絶縁シート６が配置され、この絶縁シート６上には渦巻き形状の第２のコイル１８が配置されている。この第２のコイル１８のコイル軸は積層方向に一致している。第２のコイル１８の外側の端部は、長方形である絶縁シート６の上面における短辺の端部まで延伸している。
【００１９】
絶縁シート６の上面側には絶縁シート７が配置され、この絶縁シート７の中央部にはビア電極としての接続電極１９が形成され、第２のコイル１８の内側の端部と電気的に接続している。さらに、絶縁シート７上には第２の引出電極２０が配置され、この第２の引出電極２０は接続電極１９と電気的に接続している。第２の引出電極２０は長方形である絶縁シート７の上面における短辺の端部まで延伸している。
【００２０】
絶縁シート７の上面側には絶縁シート８が配置され、この絶縁シート８には第１の上部放電電極２１および第２の上部放電電極２２が配置されている。第１の上部放電電極２１は長方形である絶縁シート８の上面における短辺の端部まで延伸しており、その延伸している部分は、第２のコイル１８の絶縁シート６の短辺までの延伸部と積層方向で平面視した際に同じ位置に存在している。同様に、第２の上部放電電極２２は長方形である絶縁シート８の上面における短辺の端部まで延伸しており、その延伸している部分は、第２の引出電極２０の絶縁シート７の短辺までの延伸部と積層方向で平面視した際に同じ位置に存在している。
【００２１】
絶縁シート８の上面側には絶縁シート９が配置され、この絶縁シート９の略中央部には開口部である上部静電気通過部２３が形成されている。さらに絶縁シート９上には上部グランド電極２４が配置されている。上部グランド電極２４は長方形である絶縁シート９の上面における長辺の端部まで延伸している。
【００２２】
絶縁シート９の上面側には絶縁シート１０が配置されている。
【００２３】
絶縁シート１、絶縁シート２、絶縁シート３、下部グランド電極１１、下部静電気通過部１２、第１の下部放電電極１３および第２の下部放電電極１４により下部積層部２５を構成している。また、絶縁シート４、絶縁シート５、絶縁シート６、絶縁シート７、第１の引出電極１５、第１のコイル１６、接続電極１７、第２のコイル１８、接続電極１９および第２の引出電極２０によりインダクタ部２６を構成している。また、インダクタ部２６を構成する第１のコイル１６および第２のコイル１８の軸は積層方向である。本実施の形態においては、このインダクタ部２６はコモンモードノイズフィルタを構成している。また、絶縁シート８、絶縁シート９、絶縁シート１０、第１の上部放電電極２１、第２の上部放電電極２２、上部静電気通過部２３および上部グランド電極２４により上部積層部２７を構成している。
【００２４】
図２に示すように、下部静電気通過部１２と上部静電気通過部２３とは、正面断面図および側面断面図において、それぞれ上下方向で異なるものの左右方向で同じ場所に位置している。即ち、積層方向で平面視した際に、同じ位置に形成されている。
【００２５】
第１の端子２８は第１の下部放電電極１３および第１の引出電極１５と電気的に接続しており、第２の端子２９は第２の引出電極２０および第１の上部放電電極２１と電気的に接続しており、第３の端子３０は第２の下部放電電極１４および第１のコイル１６と電気的に接続しており、第４の端子３１は第２の上部放電電極２２および第２のコイル１８と電気的に接続している。
【００２６】
また、下部グランド電極１１と上部グランド電極２４とは、複合部品の積層方向で平面視した際の長辺側の端部に形成されたグランド端子（図示せず）によって電気的に接続されている。
【００２７】
第１の下部静電気対策部３２は下部グランド電極１１、下部静電気通過部１２および第１の下部放電電極１３で構成されている。第１の端子２８に静電気による過電圧が印加された場合に、第１の下部放電電極１３と下部グランド電極１１間で放電が生じ、これにより過電圧による電流が第１のコイル１６に流れることを防止することができる。
【００２８】
第１の上部静電気対策部３３は第１の上部放電電極２１、上部静電気通過部２３および上部グランド電極２４で構成され、第２の端子２９に静電気による過電圧が印加された場合に、第１の上部放電電極２１と上部グランド電極２４間で放電が生じ、これにより過電圧による電流が第２のコイル１８に流れることを防止することができる。
【００２９】
第２の上部静電気対策部３４は第２の上部放電電極２２、上部静電気通過部２３および上部グランド電極２４で構成され、第４の端子３１に静電気による過電圧が印加された場合に、第２の上部放電電極２２と上部グランド電極２４間で放電が生じ、これにより過電圧による電流が第２のコイル１８に流れることを防止することができる。
【００３０】
第２の下部静電気対策部３５は下部グランド電極１１、下部静電気通過部１２および第２の下部放電電極１４で構成され、第３の端子３０に静電気による過電圧が印加された場合に、第２の下部放電電極１４と下部グランド電極１１間で放電が生じ、これにより過電圧による電流が第１のコイル１６に流れることを防止することができる。
【００３１】
このように、第１の下部静電気対策部３２、第１の上部静電気対策部３３、第２の上部静電気対策部３４および第２の下部静電気対策部３５は、静電気による電流が第１のコイル１６または第２のコイル１８に流れることを防止する機能を有している。また、実施の形態１の複合部品は、図３に示す電気接続図からも明らかな通り、所謂π型と言われるものである。
【００３２】
ここで、図２において、第１のコイル１６および第２のコイル１８による磁束を二点鎖線で示している。本実施の形態においては、インダクタ部２６はコモンモードノイズフィルタであるので、第１のコイル１６と第２のコイル１８との磁気的な結合である結合係数が高い方が好ましい。そのためには第１のコイル１６と第２のコイル１８とを磁気的に結合させる磁束が回り易いようにすることが好ましく、具体的にはこの磁束が回る部分の透磁率を高くするとよい。しかしながら、下部静電気通過部１２および上部静電気通過部２３は空洞であるので、この部分の透磁率は低くなる。この透磁率が低くなる部分がインダクタ部２６の上下にそれぞれ存在する場合において、積層方向に平面視した場合に同じ場所に位置するようにしたのが本実施の形態である。さらに本実施の形態においては、下部静電気通過部１２および上部静電気通過部２３を共に、第１のコイル１６および第２のコイル１８の中心軸上に配置させることで、第１のコイル１６と第２のコイル１８とを磁気的に結合させる磁束に与える影響を少なくするようにしている。
【００３３】
図４は本発明の実施の形態１におけるバリエーション例の複合部品の正面断面図、図５は比較例における複合部品の正面断面図である。図４の本発明の実施の形態１におけるバリエーション例の複合部品は、図１〜３に示す実施の形態１における複合部品の下部静電気通過部１２と上部静電気通過部２３の位置をずらし、下部積層部２５内に下部静電気通過部４０、上部積層部２７内に上部静電気通過部４１を形成したものであり、下部静電気通過部４０と上部静電気通過部４１は積層方向から平面視した際に同一の場所に位置している。一方、図５に示す比較例における複合部品は、図１〜３に示す実施の形態１における複合部品の下部静電気通過部１２を紙面右方向にずらして下部静電気通過部４２とし、上部静電気通過部２３を紙面左方向にずらして上部静電気通過部４３としたものである。従って、図５に示す比較例の複合部品においては、積層方向に平面視した際に、下部静電気通過部４２と上部静電気通過部４３とは異なる場所に位置している。
【００３４】
ここで、図４に示す複合部品の磁束について検討すると、下部静電気通過部４０および上部静電気通過部４１がないとしたときに、下部静電気通過部４０が形成される場所を通過する磁束は上部静電気通過部４１も通過する磁束である。従って、下部静電気通過部４０を設けることによって影響を受ける第１のコイル１６と第２のコイル１８とを磁気的に結合させる磁束と、上部静電気通過部４１を設けることによって影響を受ける第１のコイル１６と第２のコイル１８とを磁気的に結合させる磁束とは同じである。
【００３５】
一方、図５に示す比較例の磁束について検討すると、下部静電気通過部４２および上部静電気通過部４３がないとしたときに、下部静電気通過部４２が形成される場所を通過する磁束と上部静電気通過部４３が形成される場所を通過する磁束とは異なる。従って、図４に示す複合部品に比べ、下部静電気通過部４２および上部静電気通過部４３のような空洞部をつくることにより影響を受けてしまう磁束が増え、コモンモードノイズフィルタとしての結合係数は悪化する。従って、図４に示す複合部品のように下部静電気通過部４０および上部静電気通過部４１を積層方向で平面視した際に同じ場所に位置させると、インダクタ部２６の特性の低下を抑えることができる。
【００３６】
（実施の形態２）
以下、図６および図７を用いて、本発明の実施の形態２における複合部品について説明する。図６は本発明の実施の形態２における複合部品の分解斜視図、図７は本発明の実施の形態２における複合部品の電気接続図である。
【００３７】
実施の形態２における複合部品が実施の形態１における複合部品と異なる点は、実施の形態１における複合部品がコモンモードノイズフィルタが１組で、これを構成するコイルの両端に静電気対策部が接続される所謂π型であるのに対し、実施の形態２における複合部品は、コモンモードノイズフィルタを２組備える所謂アレイタイプであり、これを構成するコイルの片側にのみ静電気対策部部が接続される所謂Ｌ型である点である。さらに、実施の形態１において静電気通過部が空洞であったのに対し、実施の形態２においては空洞ではなく電圧可変抵抗体である点でも相違している。
【００３８】
以下、実施の形態２における複合部品について、詳細に説明する。
【００３９】
絶縁シート５１〜絶縁シート７０は、実施の形態１と同様の絶縁シートである。絶縁シート５１の上面側には絶縁シート５２が配置され、この絶縁シート５２の上面には下部グランド電極７１が配置されている。この絶縁シート５２の上面側には絶縁シート５３が配置されている。絶縁シート５３には２箇所に開口部が形成され、そのうちの一方が第１の下部静電気通過部７４、他方が第２の下部静電気通過部７５である。第１の下部静電気通過部７４には、通常の電圧では高抵抗で絶縁体として機能し、過電圧が印加されると低抵抗になって過電圧に起因する電流を流すことができる第１の下部電圧可変抵抗体７２が充填されている。同様に、第２の下部静電気通過部７５には第２の下部電圧可変抵抗体７３が充填されている。第１の下部電圧可変抵抗体７２および第２の下部電圧可変抵抗体７３に用いられる材料としては、例えば、バリスタに用いられる組成のものや、樹脂中に導体分を分散させたもの、あるいは、絶縁体中に空孔を形成したものなどが挙げられる。
【００４０】
絶縁シート５３の上面で第１の下部静電気通過部７４に一部が臨むように第１の下部放電電極７６が配置されている。第１の下部放電電極７６は、第１の下部電圧可変抵抗体７２と接触し、第１の下部電圧可変抵抗体７２は、下部グランド電極７１と接触する構成になっている。従って、過電圧の印加時には第１の下部放電電極７６と下部グランド電極７１間で過電圧に起因する電流が流れる。
【００４１】
同様に、絶縁シート５３の上面で第２の下部静電気通過部７５に一部が臨むように第２の下部放電電極７７が配置されており、過電圧の印加時には第２の下部放電電極７７と下部グランド電極７１間で過電圧に起因する電流が流れる。
【００４２】
絶縁シート５３の上面側には絶縁シート５４〜絶縁シート５９が下から順に配置されている。
【００４３】
絶縁シート５９の上面には第１の引出電極７８および第２の引出電極７９が配置されている。
【００４４】
絶縁シート５９の上面側には絶縁シート６０が配置されており、この絶縁シート６０の上面には渦巻状の第１のコイル８０と第２のコイル８１とが並んで配置されている。第１のコイル８０の内側端部は絶縁シート６０に形成されたビア（図示せず）により第１の引出電極７８と電気的に接続している。同様に、第２のコイル８１の内側端部は第２の引出電極７９と電気的に接続している。
【００４５】
絶縁シート６０の上面側には絶縁シート６１が配置され、この絶縁シート６１には渦巻状の第３のコイル８２および第４のコイル８３が並んで配置されている。
【００４６】
絶縁シート６１の上面側には絶縁シート６２が配置され、この絶縁シート６２には第３の引出電極８４および第４の引出電極８５が配置されている。第３の引出電極８４は絶縁シート６２に形成されたビアにより第３のコイル８２の内側端部と電気的に接続し、同様に第４の引出電極８５は第４のコイル８３の内側端部と電気的に接続している。
【００４７】
絶縁シート６２の上面側には絶縁シート６３〜絶縁シート６７が配置されている。
【００４８】
絶縁シート６７の上面には第１の上部放電電極８６および第２の上部放電電極８７が配置されている。第１の上部放電電極８６は、本複合部品の表面に形成された第３の端子電極（図示せず）により第３のコイル８２と電気的に接続している。同様に、第２の上部放電電極８７は、第４の端子電極（図示せず）により、第４のコイル８３と電気的に接続している。
【００４９】
絶縁シート６７の上面側には絶縁シート６８が配置されている。この絶縁シート６８には開口部が２箇所形成され、その一方が第１の上部静電気通過部８８であり、他方が第２の上部静電気通過部８９である。第１の上部静電気通過部８８には、第１の上部電圧可変抵抗体９０が充填され、第２の上部静電気通過部８９には、第２の上部電圧可変抵抗体９１が充填されている。第１の上部電圧可変抵抗体９０および第２の上部電圧可変抵抗体９１は、第１の下部電圧可変抵抗体７２および第２の下部電圧可変抵抗体７３と同様の材料からなり、同様の機能を有する。また、第１の上部電圧可変抵抗体９０は第１の上部放電電極８６と接触し、第２の上部電圧可変抵抗体９１は第２の上部放電電極８７と接触している。
【００５０】
絶縁シート６８の上面側には上部グランド電極９２が形成され、上部グランド電極９２は第１の上部電圧可変抵抗体９０および第２の上部電圧可変抵抗体９１と接触して形成されている。従って、第１の上部放電電極８６に過電圧が印加されると第１の上部放電電極８６と上部グランド電極９２間で過電圧に起因した電流が流れる。同様に、第２の上部放電電極８７に過電圧が印加されると第２の上部放電電極８７と上部グランド電極９２間で過電圧に起因した電流が流れる。
【００５１】
絶縁シート６８の上面側には下から順に絶縁シート６９および絶縁シート７０が配置されている。
【００５２】
絶縁シート５１〜絶縁シート５４、下部グランド電極７１、第１の下部電圧可変抵抗体７２、第２の下部電圧可変抵抗体７３、第１の下部静電気通過部７４、第２の下部静電気通過部７５、第１の下部放電電極７６および第２の下部放電電極７７により下部積層部９３を構成し、絶縁シート５５〜絶縁シート６６、第１の引出電極７８、第２の引出電極７９、第１のコイル８０、第２のコイル８１、第３のコイル８２、第４のコイル８３および第３の引出電極８４によりインダクタ部９４を構成し、絶縁シート６７〜絶縁シート７０、第１の上部放電電極８６、第２の上部放電電極８７、第１の上部静電気通過部８８、第２の上部静電気通過部８９、第１の上部電圧可変抵抗体９０、第２の上部電圧可変抵抗体９１および上部グランド電極９２により上部積層部９５を構成している。
【００５３】
第１の下部静電気対策部９６は下部グランド電極７１、第１の下部電圧可変抵抗体７２、第１の下部静電気通過部７４および第１の下部放電電極７６で構成されている。
【００５４】
第１の上部静電気対策部９７は第１の上部放電電極８６、第１の上部静電気通過部８８、第１の上部電圧可変抵抗体９０および上部グランド電極９２で構成されている。
【００５５】
第２の下部静電気対策部９８は下部グランド電極７１、第２の下部電圧可変抵抗体７３、第２の下部静電気通過部７５および第２の下部放電電極７７で構成されている。
【００５６】
第２の上部静電気対策部９９は第２の上部放電電極８７、第２の上部静電気通過部８９、第２の上部電圧可変抵抗体９１および上部グランド電極９２で構成されている。
【００５７】
また、第１のコイル８０の外側の端部と第１の下部放電電極７６は、第１の端子（図示せず）により電気的に接続し、第２のコイル８１の外側の端部と第２の下部放電電極７７は、第２の端子（図示せず）により電気的に接続し、第３のコイル８２の外側の端部と第１の上部放電電極８６は、第３の端子（図示せず）により電気的に接続し、第４のコイル８３の外側の端部と第２の上部放電電極８７は、第４の端子（図示せず）により電気的に接続している。
【００５８】
以上のような構成により、第１の下部放電電極７６に静電気による過電圧が印加された場合には、第１の下部電圧可変抵抗体７２の抵抗値が大幅に減少して、静電気に起因する電流は第１のコイル８０ではなく第１の下部電圧可変抵抗体７２を流れるので、第１のコイル８０の保護、あるいは、第１のコイル８０と直列に接続される電子部品等の保護を行うことができる。即ち、第１の下部静電気対策部９６により第１のコイル８０等を静電気から保護することができる。
【００５９】
第１の上部静電気対策部９７、第２の下部静電気対策部９８および第２の上部静電気対策部９９についても同様である。
【００６０】
（実施の形態３）
以下、図８を用いて、本発明の実施の形態３における複合部品について説明する。図８は本発明の実施の形態３における複合部品の分解斜視図である。
【００６１】
実施の形態３における複合部品が実施の形態１における複合部品と異なる点は、実施の形態１における複合部品の静電気通過部はインダクタ部の上下に一個ずつの合計２個であったのに対し、実施の形態３における複合部品は上下に２個ずつの合計４個有する点が異なっている。また、実施の形態１において静電気通過部が空洞であったのに対し、実施の形態３における複合部品は実施の形態２における複合部品と同様に空洞ではなく電圧可変抵抗体である点でも相違している。
【００６２】
一方、実施の形態３における複合部品は、コモンモードノイズフィルタが１組で、これを構成するコイルの両端に静電気対策部が接続される所謂π型であり、この点は実施の形態１の複合部品と共通する。
【００６３】
以下、簡単に実施の形態３における複合部品の説明をする。
【００６４】
絶縁シート１０１〜絶縁シート１２０は、実施の形態１、２と同様の材質からなるものである。
【００６５】
絶縁シート１０１の上面側には絶縁シート１０２が配置され、絶縁シート１０２の上面には下部グランド電極１２１が配置されている。絶縁シート１０２の上面側に配置された絶縁シート１０３には、２つの開口部が形成され、その一方が第１の下部静電気通過部１２４、他方が第２の下部静電気通過部１２５である。第１の下部静電気通過部１２４および第２の下部静電気通過部１２５には、それぞれ第１の下部可変抵抗体１２２、第２の下部可変抵抗体１２３が充填されており、これらはともに下部グランド電極１２１と接触している。また、絶縁シート１０３の上面には、第１の下部可変抵抗体１２２と一部が接触するように第１の下部放電電極１２６が配置され、さらに第２の下部可変抵抗体１２３と一部が接触するように第２の下部放電電極１２７が配置されている。
【００６６】
絶縁シート１０３の上面側には、下から順に絶縁シート１０４〜絶縁シート１０９が配置され、絶縁シート１０９の上面には第１の引出電極１２８が形成されている。
【００６７】
絶縁シート１０９の上面側には絶縁シート１１０が配置され、絶縁シート１１０の上面には第１のコイル１２９が配置されている。第１のコイル１２９の内側の端部は、絶縁シート１１０に形成されたビア電極（図示せず）によって第１の引出電極１２８の先端部と電気的に接続している。
【００６８】
絶縁シート１１０の上面側には絶縁シート１１１が配置され、絶縁シート１１１の上面には第２のコイル１３０が配置されている。絶縁シート１１１の上面側には絶縁シート１１２が配置されて、絶縁シート１１２の上面には第２の引出電極１３１が配置されている。第２の引出電極１３１の先端部は絶縁シート１１２に形成されたビア電極（図示せず）によって第２のコイル１３０の内側の端部と電気的に接続している。
【００６９】
絶縁シート１１２の上面側には、下から順に絶縁シート１１３〜絶縁シート１１７が配置され、絶縁シート１１７の上面には第１の上部放電電極１３２および第２の上部放電電極１３３が配置されている。絶縁シート１１７の上面側には、開口部である第１の上部静電気通過部１３４および第２の上部静電気通過部１３５が形成された絶縁シート１１８が配置され、第１の上部静電気通過部１３４および第２の上部静電気通過部１３５には、それぞれ第１の上部可変抵抗体１３６および第２の上部可変抵抗体１３７が充填されている。絶縁シート１１８の上面には上部グランド電極１３８が配置され、第１の上部可変抵抗体１３６は第１の上部放電電極１３２および上部グランド電極１３８と接触し、第２の上部可変抵抗体１３７は第２の上部放電電極１３３および上部グランド電極１３８と接触している。絶縁シート１１８の上面側には、絶縁シート１１９および絶縁シート１２０が配置されている。
【００７０】
絶縁シート１０１〜絶縁シート１０４、下部グランド電極１２１、第１の下部可変抵抗体１２２、第２の下部可変抵抗体１２３、第１の下部静電気通過部１２４、第２の下部静電気通過部１２５、第１の下部放電電極１２６および第２の下部放電電極１２７によって下部積層部１３９が構成され、絶縁シート１０５〜絶縁シート１１６、第１の引出電極１２８、第１のコイル１２９、第２のコイル１３０および第２の引出電極１３１によってインダクタ部１４０が構成され、絶縁シート１１７〜絶縁シート１２０、第１の上部放電電極１３２、第２の上部放電電極１３３、第１の上部静電気通過部１３４、第２の上部静電気通過部１３５、第１の上部可変抵抗体１３６、第２の上部可変抵抗体１３７および上部グランド電極１３８によって上部積層部１４１が構成されている。
【００７１】
以上の構成の実施の形態３における複合部品も実施の形態１、２における複合部品と同様の効果を有する。
【００７２】
なお、実施の形態１〜３において、インダクタ部をコモンモードノイズフィルタとしたが、コモンモードノイズフィルタに限らず、コモンモードノイズとノーマルモードノイズの両方を程よく除去する２モードノイズフィルタや、ノイズフィルタ以外のインダクタであってもよい。この場合においても、静電気通過部の存在により磁束が乱れてしまい、インダクタ部の特性を劣化させるので、本実施の形態のように、インダクタ部の上下の静電気通過部の位置を積層方向で平面視した際に同じ位置になるようにすると、劣化を抑えることができる。
【００７３】
また、絶縁シートは基本的に磁性材料を用いることで、インダクタ部の特性を向上させることができるが、例えば、コモンモードノイズフィルタの場合には、２つのコイルを磁気的に結合させる磁束が通過する部分には磁性材料を用い、磁気的な結合をさせない磁束が通過する部分には非磁性材料を用いると特性が向上するように、具体的なインダクタ部の機能や構成に応じて、非磁性材料を用いればよい。この場合において、１枚の磁性体からなる絶縁シートの一部分のみ非磁性体で形成してもよい。
【００７４】
さらに、実施の形態１〜３に示したように、本発明は、所謂π型やＬ型の構造のもののそれぞれに対し、単品或いはアレイの構成を組み合わせたものに適用することができる。即ち、π型で単品のもの、π型でアレイのもの、Ｌ型で単品の物、Ｌ型でアレイのものへの展開が可能である。また、それぞれの構成のものに対し、静電気通過部を空洞にすることもできるし、バリスタ等の過電圧が印加されると抵抗値が低下する電圧可変抵抗材料を用いることもできる。
【産業上の利用可能性】
【００７５】
本発明は、インダクタ機能と静電気対策機能を備えた複合部品に適用することができる。
【符号の説明】
【００７６】
１  絶縁シート
２  絶縁シート
３  絶縁シート
４  絶縁シート
５  絶縁シート
６  絶縁シート
７  絶縁シート
８  絶縁シート
９  絶縁シート
１０  絶縁シート
１１  下部グランド電極
１２  下部静電気通過部
１３  第１の下部放電電極
１４  第２の下部放電電極
１５  第１の引出電極
１６  第１のコイル
１７  接続電極
１８  第２のコイル
１９  接続電極
２０  第２の引出電極
２１  第１の上部放電電極
２２  第２の上部放電電極
２３  上部静電気通過部
２４  上部グランド電極
２５  下部積層部
２６  インダクタ部
２７  上部積層部
２８  第１の端子
２９  第２の端子
３０  第３の端子
３１  第４の端子
３２  第１の下部静電気対策部
３３  第１の上部静電気対策部
３４  第２の上部静電気対策部
３５  第２の下部静電気対策部
４０  下部静電気通過部
４１  上部静電気通過部
４２  下部静電気通過部
４３  上部静電気通過部
５１  絶縁シート
５２  絶縁シート
５３  絶縁シート
５４  絶縁シート
５５  絶縁シート
５６  絶縁シート
５７  絶縁シート
５８  絶縁シート
５９  絶縁シート
６０  絶縁シート
６１  絶縁シート
６２  絶縁シート
６３  絶縁シート
６４  絶縁シート
６５  絶縁シート
６６  絶縁シート
６７  絶縁シート
６８  絶縁シート
６９  絶縁シート
７０  絶縁シート
７１  下部グランド電極
７２  第１の下部電圧可変抵抗体
７３  第２の下部電圧可変抵抗体
７４  第１の下部静電気通過部
７５  第２の下部静電気通過部
７６  第１の下部放電電極
７７  第２の下部放電電極
７８  第１の引出電極
７９  第２の引出電極
８０  第１のコイル
８１  第２のコイル
８２  第３のコイル
８３  第４のコイル
８４  第３の引出電極
８５  第４の引出電極
８６  第１の上部放電電極
８７  第２の上部放電電極
８８  第１の上部静電気通過部
８９  第２の上部静電気通過部
９０  第１の上部電圧可変抵抗体
９１  第２の上部電圧可変抵抗体
９２  上部グランド電極
９３  下部積層部
９４  インダクタ部
９５  上部積層部
９６  第１の下部静電気対策部
９７  第１の上部静電気対策部
９８  第２の下部静電気対策部
９９  第２の上部静電気対策部
１０１  絶縁シート
１０２  絶縁シート
１０３  絶縁シート
１０４  絶縁シート
１０５  絶縁シート
１０６  絶縁シート
１０７  絶縁シート
１０８  絶縁シート
１０９  絶縁シート
１１０  絶縁シート
１１１  絶縁シート
１１２  絶縁シート
１１３  絶縁シート
１１４  絶縁シート
１１５  絶縁シート
１１６  絶縁シート
１１７  絶縁シート
１１８  絶縁シート
１１９  絶縁シート
１２０  絶縁シート
１２１  下部グランド電極
１２２  第１の下部可変抵抗体
１２３  第２の下部可変抵抗体
１２４  第１の下部静電気通過部
１２５  第２の下部静電気通過部
１２６  第１の下部放電電極
１２７  第２の下部放電電極
１２８  第１の引出電極
１２９  第１のコイル
１３０  第２のコイル
１３１  第２の引出電極
１３２  第１の上部放電電極
１３３  第２の上部放電電極
１３４  第１の上部静電気通過部
１３５  第２の上部静電気通過部
１３６  第１の上部可変抵抗体
１３７  第２の上部可変抵抗体
１３８  上部グランド電極
１３９  下部積層部
１４０  インダクタ部
１４１  上部積層部
【図１】
2011187676.tif 000003
【図２】
2011187676.tif 000004
【図３】
2011187676.tif 000005
【図４】
2011187676.tif 000006
【図５】
2011187676.tif 000007
【図６】
2011187676.tif 000008
【図７】
2011187676.tif 000009
【図８】
2011187676.tif 000010